(57)【要約】【課題】広範なサイズの配線を作業性良好に通線可能とする。【解決手段】配線保護部材２には、複数の（ここでは８個）可撓性を有する領域である可撓部２２を形成するべく連続した切断線２１（図中に破線で示す）が施されている。切断線２１は、配線保護部材２の上下方向の中心線に沿った線分状の第１の切断線２１２と、第１の切断線２１２と直交し、第１の切断線２１２上に中点を有する線分状の５本の第２の切断線２１１とを有する。第１の切断線２１２の上側（又は下側）であって、隣接する２本の第２の切断線２１１に挟まれる領域が、可撓性を有する領域である可撓部２２である。コネクタが通線孔を貫通する際に、可撓部２２がコネクタに押圧されて通線先側へ撓むことにより間隙が生成される。【選択図】図２
2007294284.tif 000002
【特許請求の範囲】
【請求項１】
壁面に形成された所定のサイズの通線孔に、コネクタが端部に接続された配線を通線させる場合に、前記配線を保護する配線保護部材であって、
前記通線孔のサイズより大きく、前記通線孔の通線元側及び通線先側の少なくとも一方の前記壁面において、周辺部が前記通線孔の外周面に貼付される平板状の弾性部材からなり、
前記弾性部材は、複数の可撓性を有する領域である可撓部を形成するべく連続した切断線が施されており、
前記可撓部は、前記コネクタが前記通線孔を貫通する際に、前記コネクタに押圧されて通線先側へ撓むことにより間隙を生成するものであって、
前記切断線は、前記コネクタが貫通可能なサイズの前記間隙を生成するべく、その位置及び長さが規定されていることを特徴とする配線保護部材。
【請求項２】
前記切断線は、中心部から離間した側の前記切断線の端点を線分で結ぶことにより生成される多角形の内部である貫通可能領域に、前記コネクタの断面が含まれるべく、前記端点の位置が規定されていることを特徴とする請求項１に記載の配線保護部材。
【請求項３】
前記弾性部材は、半透明又は透明であることを特徴とする請求項１又は請求項２に記載の配線保護部材。
【請求項４】
前記弾性部材は、耐熱性及び電気絶縁性の少なくとも一方を有することを特徴とする請求項１〜請求項３のいずれかに記載の配線保護部材。
【請求項５】
前記弾性部材は、樹脂からなることを特徴とする請求項１〜請求項４のいずれかに記載の配線保護部材。
【請求項６】
前記弾性部材は、ポリエステルフィルムからなることを特徴とする請求項５に記載の配線保護部材。
【請求項７】
前記切断線は、前記コネクタが貫通された状態で、前記可撓部が前記コネクタ及び配線を上下方向に支持可能な弾性復元力を発揮するべく形成されていることを特徴とする請求項１〜請求項６のいずれかに記載の配線保護部材。
【請求項８】
前記切断線は、前記弾性部材の上下方向の中心線に対して線対称に形成されていることを特徴とする請求項７に記載の配線保護部材。
【請求項９】
前記切断線は、前記コネクタが貫通された状態で、前記可撓部が前記コネクタ及び配線を左右方向に支持可能な弾性復元力を発揮するべく形成されていることを特徴とする請求項１〜請求項８のいずれかに記載の配線保護部材。
【請求項１０】
前記切断線は、前記弾性部材の左右方向の中心線に対して線対称に形成されていることを特徴とする請求項９に記載の配線保護部材。
【請求項１１】
前記切断線は、前記弾性部材の上下方向の中心線に沿った線分状の第１の切断線と、
前記第１の切断線と直交し、前記第１の切断線上に中点を有する線分状の第２の切断線とを有することを特徴とする請求項１０に記載の配線保護部材。
【請求項１２】
前記切断線は、前記弾性部材の中心点に対して点対称に形成されていることを特徴とする請求項９に記載の配線保護部材。
【請求項１３】
前記切断線は、前記弾性部材の中心点に対して放射状に形成された複数の線分状の第３の切断線を有することを特徴とする請求項１２に記載の配線保護部材。
【請求項１４】
前記可撓部は、前記コネクタと当接する側の端面が滑らかに形成されていることを特徴とする請求項１〜請求項１３のいずれかに記載の配線保護部材。
【発明の詳細な説明】
【技術分野】
【０００１】
本発明は、壁面に形成された所定のサイズの通線孔に、コネクタが端部に接続された配線を通線させる場合に、前記配線を保護する配線保護部材に関するものである。
【背景技術】
【０００２】
従来、ハーネス、電源ケーブル等の配線を壁面等に形成された通線孔を通線する際に、通線孔の端面によるハーネス等の損傷を防止するために、通線孔の周縁部に合成樹脂等で環状に形成されたブッシングを嵌着し、ブッシングに設けた挿通孔を通して通線孔にハーネス等を通線していた（特許文献１参照）。
【特許文献１】特開平１０−２８３８３３号公報
【発明の開示】
【発明が解決しようとする課題】
【０００３】
しかしながら、ハーネス等のサイズには種々のものがあり、そのサイズに合わせてブッシングを選定する必要があり、多くの種類のブッシングを準備しておく必要があった。更に、ハーネス等の先端に予めコネクタが接続されている場合には、一端コネクタを取り外して、ブッシングを嵌着した後、通線孔に通線する必要があった。
【０００４】
本発明は、上記課題に鑑みてなされたものであって、広範なサイズの配線を作業性良好に通線可能な配線保護部材を提供することを目的としている。
【課題を解決するための手段】
【０００５】
上記目的を達成するために請求項１に記載の配線保護部材は、壁面に形成された所定のサイズの通線孔に、コネクタが端部に接続された配線を通線させる場合に、前記配線を保護する配線保護部材であって、前記通線孔のサイズより大きく、前記通線孔の通線元側及び通線先側の少なくとも一方の前記壁面において、周辺部が前記通線孔の外周面に貼付される平板状の弾性部材からなり、前記弾性部材が、複数の可撓性を有する領域である可撓部を形成するべく連続した切断線が施されており、前記可撓部が、前記コネクタが前記通線孔を貫通する際に、前記コネクタに押圧されて通線先側へ撓むことにより間隙を生成するものであって、前記切断線が、前記コネクタが貫通可能なサイズの前記間隙を生成するべく、その位置及び長さが規定されていることを特徴としている。
【０００６】
請求項２に記載の配線保護部材は、請求項１に記載の配線保護部材であって、前記切断線が、中心部から離間した側の前記切断線の端点を線分で結ぶことにより生成される多角形の内部である貫通可能領域に、前記コネクタの断面が含まれるべく、前記端点の位置が規定されていることを特徴としている。
【０００７】
請求項３に記載の配線保護部材は、請求項１又は請求項２に記載の配線保護部材であって、前記弾性部材が、半透明又は透明であることを特徴としている。
【０００８】
請求項４に記載の配線保護部材は、請求項１〜請求項３のいずれかに記載の配線保護部材であって、前記弾性部材が、耐熱性及び電気絶縁性の少なくとも一方を有することを特徴としている。
【０００９】
請求項５に記載の配線保護部材は、請求項１〜請求項４のいずれかに記載の配線保護部材であって、前記弾性部材が、樹脂からなることを特徴としている。
【００１０】
請求項６に記載の配線保護部材は、請求項５に記載の配線保護部材であって、前記弾性部材は、ポリエステルフィルムからなることを特徴としている。
【００１１】
請求項７に記載の配線保護部材は、請求項１〜請求項６のいずれかに記載の配線保護部材であって、前記切断線が、前記コネクタが貫通された状態で、前記可撓部が前記コネクタ及び配線を上下方向に支持可能な弾性復元力を発揮するべく形成されていることを特徴としている。
【００１２】
請求項８に記載の配線保護部材は、請求項７に記載の配線保護部材であって、前記切断線が、前記弾性部材の上下方向の中心線に対して線対称に形成されていることを特徴としている。
【００１３】
請求項９に記載の配線保護部材は、請求項１〜請求項８のいずれかに記載の配線保護部材であって、前記切断線が、前記コネクタが貫通された状態で、前記可撓部が前記コネクタ及び配線を左右方向に支持可能な弾性復元力を発揮するべく形成されていることを特徴としている。
【００１４】
請求項１０に記載の配線保護部材は、請求項９に記載の配線保護部材であって、前記切断線が、前記弾性部材の左右方向の中心線に対して線対称に形成されていることを特徴としている。
【００１５】
請求項１１に記載の配線保護部材は、請求項１０に記載の配線保護部材であって、前記切断線が、前記弾性部材の上下方向の中心線に沿った線分状の第１の切断線と、前記第１の切断線と直交し、前記第１の切断線上に中点を有する線分状の第２の切断線とを有することを特徴としている。
【００１６】
請求項１２に記載の配線保護部材は、請求項９に記載の配線保護部材であって、前記切断線が、前記弾性部材の中心点に対して点対称に形成されていることを特徴としている。
【００１７】
請求項１３に記載の配線保護部材は、請求項１２に記載の配線保護部材であって、前記切断線が、前記弾性部材の中心点に対して放射状に形成された複数の線分状の第３の切断線を有することを特徴としている。
【００１８】
請求項１４に記載の配線保護部材は、請求項１〜請求項１３のいずれかに記載の配線保護部材であって、前記可撓部が、前記コネクタと当接する側の端面が滑らかに形成されていることを特徴としている。
【発明の効果】
【００１９】
請求項１に記載の配線保護部材によれば、弾性部材に施された切断線により形成される可撓部が、コネクタが通線孔を貫通する際に、コネクタに押圧されて通線先側へ撓むことにより間隙を生成するものであって、切断線が、コネクタが貫通可能なサイズの間隙を生成するべく、その位置及び長さが規定されているため、コネクタが通線孔を貫通する際に、コネクタが貫通可能なサイズの間隙が生成されるので、広範なサイズの配線（及びコネクタ）を作業性良好に貫通させることができる。
【００２０】
請求項２に記載の配線保護部材によれば、切断線が、中心部から離間した側の切断線の端点を線分で結ぶことにより生成される多角形の内部である貫通可能領域に、コネクタの断面が含まれるべく、端点の位置が規定されているため、コネクタが通線孔を貫通する際に、コネクタが貫通可能なサイズの間隙を生成させることができる。
【００２１】
請求項３に記載の配線保護部材によれば、弾性部材が半透明又は透明であるため、貫通孔の位置及び貫通先の状況を視認することができ、更に通線の作業性を向上することができる。
【００２２】
請求項４に記載の配線保護部材によれば、弾性部材が耐熱性及び電気絶縁性の少なくとも一方を有するため、配線が導電することにより加熱する場合、及び、漏電の可能性がある場合に適した保護部材を実現できる。
【００２３】
請求項５に記載の配線保護部材によれば、弾性部材が樹脂からなるため、切断線により可撓部を容易に形成することができる。また、弾性部材が半透明又は透明であること、及び、耐熱性、電気絶縁性を有することも容易に実現できる。
【００２４】
請求項６に記載の配線保護部材によれば、弾性部材がポリエステルフィルムからなるため、更に容易に切断線により可撓部を形成することができる。また、弾性部材が半透明又は透明であること、及び、耐熱性、電気絶縁性を有することも容易に実現できる。
【００２５】
請求項７に記載の配線保護部材によれば、切断線が、コネクタが貫通された状態で、可撓部がコネクタ及び配線を上下方向に支持可能な弾性復元力を発揮するべく形成されているため、コネクタが貫通された状態でコネクタ及び配線が上下方向に支持されるので、コネクタ及び配線が壁面の端面等に接触して損傷することを確実に防止できる。
【００２６】
請求項８に記載の配線保護部材によれば、切断線が弾性部材の上下方向の中心線に対して線対称に形成されているため、可撓部も上下方向の中心線に対して線対称に形成されるので、コネクタ及び配線を上下方向に支持可能な弾性復元力を発揮するべく可撓部を形成することができる。
【００２７】
請求項９に記載の配線保護部材によれば、切断線が、コネクタが貫通された状態で、可撓部がコネクタ及び配線を左右方向に支持可能な弾性復元力を発揮するべく形成されているため、コネクタが貫通された状態でコネクタ及び配線が左右方向に支持されるので、コネクタ及び配線が壁面の端面等に接触して損傷することを更に確実に防止できる。
【００２８】
請求項１０に記載の配線保護部材によれば、切断線が弾性部材の左右方向の中心線に対して線対称に形成されているので、可撓部も左右方向の中心線に対して線対称に形成されるので、コネクタ及び配線を左右方向に支持可能な弾性復元力を発揮するべく可撓部を形成することができる。
【００２９】
請求項１１に記載の配線保護部材によれば、切断線が、弾性部材の上下方向の中心線に沿った線分状の第１の切断線と、第１の切断線と直交し、第１の切断線上に中点を有する線分状の第２の切断線とを有するため、コネクタ及び配線を上下方向及び左右方向に支持可能な弾性復元力を発揮するべく可撓部を形成することができる。
【００３０】
請求項１２に記載の配線保護部材によれば、切断線が弾性部材の中心点に対して点対称に形成されているので、可撓部も弾性部材の中心点に対して点対称に形成されるので、コネクタ及び配線を上下方向及び左右方向に支持可能な弾性復元力を発揮するべく可撓部を形成することができる。
【００３１】
請求項１３に記載の配線保護部材によれば、切断線が弾性部材の中心点に対して放射状に形成された複数の線分状の第３の切断線を有するため、コネクタ及び配線を上下方向及び左右方向に支持可能な弾性復元力を発揮するべく可撓部を形成することができる。
【００３２】
請求項１４に記載の配線保護部材によれば、可撓部がコネクタと当接する側の端面が滑らかに形成されているため、コネクタ及び配線が弾性部材と摺接することにより損傷することを確実に防止することができる。
【発明を実施するための最良の形態】
【００３３】
以下、本発明に係る配線保護部材の一例について図面を参照して説明する。図１は、本発明に係る配線保護部材の配設状態の一例を示す断面図である。配線保護部材２は、通線孔１１のサイズより大きい平板状の弾性部材（ここでは、ポリエステルフィルム）からなり、壁面１に形成された通線孔１１の通線元側（図の右側）において、周辺部が通線孔１１の外周面に貼付されている。この通線孔１１に、先端にコネクタ３１が接続されたハーネス３２（配線に相当する）を、図の右側から左側に向けて通線させる場合について説明する。ここでは、配線保護部材２が、通線孔１１の通線元側（図の右側）に貼付されている場合について説明するが、通線元側及び通線先側の少なくとも一方に貼付されている形態であればよい。例えば、通線元側及び通線先側に貼付されている形態でもよい。
【００３４】
図２は、配線保護部材２の一例を示す平面図である。配線保護部材２には、複数の（ここでは８個）可撓性を有する領域である可撓部２２を形成するべく連続した切断線２１（図中に破線で示す）が施されている。切断線２１は、配線保護部材２の上下方向の中心線に沿った線分状の第１の切断線２１２と、第１の切断線２１２と直交し、第１の切断線２１２上に中点を有する線分状の５本の第２の切断線２１１とを有する。第１の切断線２１２の上側（又は下側）であって、隣接する２本の第２の切断線２１１に挟まれる領域が、可撓性を有する領域である可撓部２２である。
【００３５】
すなわち、例えば、第１の切断線２１２の上側であって、隣接する２本の第２の切断線２１１に挟まれる領域の可撓部２２は、その下側に切断線２１２があり、左右に切断線２１１があるため、上端のみで固定されており、片持ち状態となっているため、下端側がコネクタ３１等で押圧されると、通線先側へ撓むものである。同様に、第１の切断線２１２の下側であって、隣接する２本の第２の切断線２１１に挟まれる領域の可撓部２２は、上端側がコネクタ３１等で押圧されると、通線先側へ撓むものである。その結果、コネクタ３１が通線孔１１を貫通する際に、可撓部２２がコネクタ３１に押圧されて通線先側へ撓むことにより間隙が生成されるのである。
【００３６】
なお、切断線２１の中心部から離間した側の切断線２１の端点を線分で結ぶことにより生成される多角形の内部である貫通可能領域２３が、可撓部２２がコネクタ３１に押圧されて通線先側へ撓むことにより間隙が生成される領域であり、この貫通可能領域２３にコネクタ３１の断面が含まれる場合には、コネクタ３１は、配線保護部材２を貫通可能である。すなわち、貫通可能領域２３に、コネクタ３１の断面が含まれるべく、切断線２１の端点の位置が規定されているのである。
【００３７】
図３は、貫通可能なコネクタ３１の断面の一例を示す平面図である。配線保護部材２の貫通可能領域２３は、通線孔１１の内側に形成されており、コネクタ３１の断面３１ａ、３１ｂ、３１ｃが貫通可能領域２３に含まれるため、これらの断面を有するコネクタ３１は、配線保護部材２を貫通可能である。すなわち、断面が貫通可能領域２３に含まれるコネクタ３１は、配線保護部材２を貫通可能であるため、種々の形状、サイズのコネクタ３１が接続されたハーネス３２を、配線保護部材２に貫通させることができる。
【００３８】
図４は、コネクタ３１及びハーネス３２が、配線保護部材２に貫通された状態の一例を示す断面図である。図２を用いて説明したように、第１の切断線２１２の上側の可撓部２２は、上側が固定された状態で貫通先側へ撓み、第１の切断線２１２の下側の可撓部２２は、下側が固定された状態で貫通先側へ撓むため、コネクタ３１及びハーネス３２を貫通させる間隙が形成される。そして、配線保護部材２は、弾性を有するポリエステルフィルムからなるため、第１の切断線２１２の上側の可撓部２２の弾性復元力と、第１の切断線２１２の下側の可撓部２２の弾性復元力とによって、コネクタ３１及びハーネス３２は、上下方向に支持されているため、コネクタ３１及びハーネス３２が壁面１の端面等に接触して損傷することを確実に防止できる。
【００３９】
また、配線保護部材２は、図２に示すように左右方向に複数の（ここでは４個の）可撓部２２を有するため、コネクタ３１及びハーネス３２に当接している可撓部２２が貫通先側へ撓み、コネクタ３１及びハーネス３２に当接していない可撓部２２は、撓まないため、撓んでいない（又は撓みの小さい）可撓部２２によって、コネクタ３１及びハーネス３２が左右方向に支持されているため、コネクタ３１及びハーネス３２が壁面１の端面等に接触して損傷することを確実に防止できる。
【００４０】
更に、配線保護部材２は、耐熱性及び電気絶縁性を有するポリエステルフィルムからなるため、コネクタ３１又はハーネス３２が、導電することにより加熱する場合、又は、漏電の可能性がある場合にも、コネクタ３１又はハーネス３２が、耐熱性及び電気絶縁性を有する配線保護部材２によって支持されているため、壁面１が加熱する（又は壁面１に漏電する）ことを防止できるのである。
【００４１】
ここで、第１の切断線２１２の上側の可撓部２２の弾性復元力は下向きに作用し、第１の切断線２１２の下側の可撓部２２の弾性復元力は上向きに作用するため、コネクタ３１及びハーネス３２が、可撓部２２の端面２Ｅと摺動することにより、コネクタ３１及びハーネス３２が損傷を受ける虞がある。図５は、この課題を解消する配線保護部材２の一例を示す断面図である。
【００４２】
すなわち、図５に示す配線保護部材２のコネクタ３１及びハーネス３２と当接する側の端面２Ｆが滑らかに（ここでは、円弧状に）形成されているため、コネクタ３１及びハーネス３２が、可撓部２２の端面２Ｆと摺動した場合であっても、コネクタ３１及びハーネス３２が端面２Ｆによって損傷を受けることを防止できるのである。
【００４３】
図６は、配線保護部材の切断線の他の形態を示す平面図である。（ａ）に示す配線保護部材２ａでは、切断線２１ａが略Ｈ型に形成されており、上下にそれぞれ１個（合計２個）の可撓部２２ａが形成されている。そして、コネクタ３１が通線孔１１を貫通する際に、可撓部２２ａがコネクタ３１に押圧されて通線先側へ撓むことにより貫通可能領域２３ａが生成されるのである。この場合には、切断線２１ａが、簡素な構成であるため、配線保護部材２を安価に製造することが可能となる。また、上側の可撓部２２ａの弾性復元力と、下側の可撓部２２ａの弾性復元力とによって、図２に示す配線保護部材２と同様に、コネクタ３１及びハーネス３２は、上下方向に支持されているため、コネクタ３１及びハーネス３２が壁面１の端面等に接触して損傷することを確実に防止できる。
【００４４】
（ｂ）に示す配線保護部材２ｂでは、切断線２１ｂが、縦線が「くの字」型に変形したＨ型に形成されており、上下及び左右にそれぞれ１個（合計４個）の可撓部２２ｂが形成されている。そして、コネクタ３１が通線孔１１を貫通する際に、可撓部２２ｂがコネクタ３１に押圧されて通線先側へ撓むことにより貫通可能領域２３ｂが生成されるのである。この場合には、切断線２１ｂが、簡素な構成であるため、配線保護部材２を安価に製造することが可能となる。また、上側の可撓部２２ｂの弾性復元力と、下側の可撓部２２ｂの弾性復元力とによって、図２に示す配線保護部材２と同様に、コネクタ３１及びハーネス３２は、上下方向に支持されているため、コネクタ３１及びハーネス３２が壁面１の端面等に接触して損傷することを確実に防止できる。更に、右側の可撓部２２ｂの弾性復元力と、左側の可撓部２２ｂの弾性復元力とによって、コネクタ３１及びハーネス３２は、左右方向に支持されているため、コネクタ３１及びハーネス３２が壁面１の通線孔１１の左右の端面等に接触して損傷することを確実に防止できる。
【００４５】
（ｃ）に示す配線保護部材２ｃでは、切断線２１ｃが、Ｘ型に形成されており、上下及び左右にそれぞれ１個（合計４個）の可撓部２２ｃが形成されている。そして、コネクタ３１が通線孔１１を貫通する際に、可撓部２２ｃがコネクタ３１に押圧されて通線先側へ撓むことにより貫通可能領域２３ｃが生成されるのである。この場合には、切断線２１ｃが、簡素な構成であるため、配線保護部材２を安価に製造することが可能となる。また、上側の可撓部２２ｃの弾性復元力と、下側の可撓部２２ｃの弾性復元力とによって、図２に示す配線保護部材２と同様に、コネクタ３１及びハーネス３２は、上下方向に支持されているため、コネクタ３１及びハーネス３２が壁面１の端面等に接触して損傷することを確実に防止できる。更に、右側の可撓部２２ｃの弾性復元力と、左側の可撓部２２ｃの弾性復元力とによって、コネクタ３１及びハーネス３２は、左右方向に支持されているため、コネクタ３１及びハーネス３２が壁面１の通線孔１１の左右の端面等に接触して損傷することを確実に防止できる。
【００４６】
このようにして、弾性部材に施された切断線２１により形成される可撓部２２が、コネクタ３１が通線孔１１を貫通する際に、コネクタ３１に押圧されて通線先側へ撓むことにより間隙を生成するものであって、切断線２１が、コネクタ３１が貫通可能なサイズの間隙を生成するべく、その位置及び長さが規定されているため、コネクタ３１が通線孔を貫通する際に、コネクタ３１が貫通可能なサイズの間隙が生成されるので、広範なサイズのハーネス３２（及びコネクタ３１）を作業性良好に貫通させることができる。
【００４７】
また、切断線２１が、中心部から離間した側の切断線２１の端点を線分で結ぶことにより生成される多角形の内部である貫通可能領域２３に、コネクタ３１の断面が含まれるべく、端点の位置が規定されているため、コネクタ３１が通線孔を貫通する際に、コネクタ３１が貫通可能なサイズの間隙を生成させることができる。
【００４８】
更に、配線保護部材２が半透明又は透明であるため、通線孔１１の位置及び貫通先の状況を視認することができ、更に通線の作業性を向上することができる。
【００４９】
加えて、配線保護部材２が耐熱性及び電気絶縁性を有するため、ハーネス３２（及びコネクタ３１）が導電することにより加熱する場合、及び、漏電の可能性がある場合に適した保護部材を実現できる。
【００５０】
また、配線保護部材２がポリエステルフィルムからなるため、更に容易に切断線２１により可撓部２２を形成することができる。また、配線保護部材２が半透明又は透明であること、及び、耐熱性、電気絶縁性を有することも容易に実現できる。
【００５１】
更に、切断線２１が、コネクタ３１が貫通された状態で、可撓部２２がコネクタ３１及びハーネス３２を上下方向に支持可能な弾性復元力を発揮するべく形成されているため、コネクタが貫通された状態でコネクタ３１及びハーネス３２が上下方向に支持されるので、コネクタ３１及びハーネス３２が壁面１の端面等に接触して損傷することを確実に防止できる。
【００５２】
加えて、切断線２１が、コネクタ３１が貫通された状態で、可撓部２２がコネクタ３１及びハーネス３２を左右方向に支持可能な弾性復元力を発揮するべく形成されているため、コネクタ３１が貫通された状態でコネクタ３１及びハーネス３２が左右方向に支持されるので、コネクタ３１及びハーネス３２が壁面１の端面等に接触して損傷することを更に確実に防止できる。
【００５３】
また、図２に示す配線保護部材２では、切断線２１が配線保護部材２の上下方向の中心線に対して線対称に形成されているため、可撓部２２も上下方向の中心線に対して線対称に形成されるので、コネクタ３１及びハーネス３２を上下方向に支持可能な弾性復元力を発揮するべく可撓部を形成することができる。
【００５４】
更に、図２に示す配線保護部材２では、切断線２１が配線保護部材２の左右方向の中心線に対して線対称に形成されているので、可撓部２２も左右方向の中心線に対して線対称に形成されるので、コネクタ３１及びハーネス３２を左右方向に支持可能な弾性復元力を発揮するべく可撓部を形成することができる。
【００５５】
加えて、図２に示す配線保護部材２では、切断線２１が、配線保護部材２ｃの上下方向の中心線に沿った線分状の第１の切断線２１２と、第１の切断線２１２と直交し、第１の切断線２１２上に中点を有する線分状の第２の切断線２１１とを有するため、コネクタ３１及びハーネス３２を上下方向及び左右方向に支持可能な弾性復元力を発揮するべく可撓部２２を形成することができる。
【００５６】
また、図６（ｃ）に示す配線保護部材２ｃでは、切断線２１ｃが配線保護部材２ｃの中心点に対して放射状に形成された複数の（ここでは、２本の）線分状の第３の切断線２１ｃを有するため、コネクタ３１及びハーネス３２を上下方向及び左右方向に支持可能な弾性復元力を発揮するべく可撓部を形成することができる。
【００５７】
更に、図５に示す配線保護部材２では、可撓部２２のコネクタ３１と当接する側の端面２Ｆが滑らかに形成されているため、コネクタ３１及びハーネス３２が配線保護部材２と摺接することにより損傷することを確実に防止することができる。
【００５８】
なお、本発明は、以下の形態にも適用可能である。
（Ａ）本実施形態では、配線保護部材２がポリエステルフィルムからなる場合について説明したが、弾性を有する材料からなる形態であればよい。例えば、ゴムからなる形態でもよい。また、ポリエステル以外の樹脂（例えば、ポリプロピレン等）からなる形態でもよい。
【００５９】
（Ｂ）本実施形態では、配線保護部材２が図２に示す切断線２１を有する場合について説明したが、配線保護部材２が、切断線２１の端点を線分で結ぶことにより生成される多角形の内部である貫通可能領域２３にコネクタ３１の断面が含まれるべく、端点の位置が規定されている切断線２１を有する形態であればよい。例えば、図６に示す切断線２１を有する形態でもよいし、その他の形態でもよい。
【００６０】
（Ｃ）本実施形態では、ハーネス３２の先端にコネクタ３１が接続されている場合について説明したが、コネクタ３１が接続されていない形態でもよいし、ハーネス３２以外の配線（例えば、電源ケーブル等）である形態でもよい。
【００６１】
（Ｄ）本実施形態では、壁面１に配設された配線孔１１にハーネス３２を通線する場合について説明したが、電子機器等の筐体の外壁面等に配設された配線孔１１にハーネス３２を通線する形態でもよい。電子機器等の筐体の外壁面等においては、筐体の外壁面がスチール製である場合が多いため、ハーネス３２を損傷する危険性が高いので、本発明の配線保護部材２が更に大きな効果を奏する。
【図面の簡単な説明】
【００６２】
【図１】は、本発明に係る配線保護部材の配設状態の一例を示す断面図である。
【図２】は、配線保護部材の一例を示す平面図である。
【図３】は、貫通可能なコネクタの断面の一例を示す平面図である。
【図４】は、コネクタ及びハーネスが、配線保護部材に貫通された状態の一例を示す断面図である。
【図５】は、可撓部の端面との摺動によるコネクタ及びハーネスの損傷を防止する配線保護部材の一例を示す断面図である。
【図６】は、配線保護部材の切断線の他の形態を示す平面図である。
【符号の説明】
【００６３】
１    壁面
１１    配線孔
２    配線保護部材
２１    切断線
２２    可撓部
２３    貫通可能領域
３１    コネクタ
３２    ハーネス（配線）
【図１】
2007294284.tif 000003
【図２】
2007294284.tif 000004
【図３】
2007294284.tif 000005
【図４】
2007294284.tif 000006
【図５】
2007294284.tif 000007
【図６】
2007294284.tif 000008